(57)【要約】【課題】下面に多数のスパイクが突設された底部をもつゴルフ靴を提供する。【解決手段】前記底部の上面が地面と実質的に水平になり、前記底部の下面内側部に突設されたスパイクの地面と接する接触面の面積を前記底部の下面外側部に突設されたスパイクの地面と接する接触面の面積より小さく形成して、グリーンで前記内側部が前記外側部より相対的に深く食い込むように構成することにより、プレーヤの足裏がグリーン地面に安定的に接地されて、アドレスおよびスイング時に安定した姿勢が取れるようになる。【選択図】図２
2005081141.tif 000002
【特許請求の範囲】
【請求項１】
下面に多数のスパイクが突設された底部をもつゴルフ靴において、
スパイクの先端面である、前記底部の上面は、地面と実質的に水平になり、
前記底部の下面内側部に突設されたスパイクの全部または一部が地面と接する接触面の面積を前記底部の下面外側部に突設されたスパイクの地面と接する接触面の面積より小さく形成して、
グリーンで前記内側部が前記外側部より相対的に深く食い込むように構成したことを特徴とするゴルフ靴。
【請求項２】
前記底部の下面外側部に突設されたスパイクは前記底部の長さ方向に長く形成され、その断面形態が大体長方形であり、
前記底部の下面内側部に突設されたスパイクは大体ピラミッド形、四角錐形、六角錐形または円錐形の形態をもつことを特徴とする請求項１に記載のゴルフ靴。
【請求項３】
前記底部の下面は外側部から内側部に行くほど底部の厚さが減少するように形成され、前記底部の下面内側部に突切されたスパイクの高さを外側部に突設されたスパイクの高さより高く形成したことを特徴とする請求項１または請求項２に記載のゴルフ靴。
【発明の詳細な説明】
【技術分野】
【０００１】
本発明は、ゴルフ靴に関し、さらに詳細にはゴルフ靴の底部(outsole)の下面に突設されたスパイクの形態が底部の内側部および外側部でそれぞれ異なることを特徴とするゴルフ靴に関する。
【背景技術】
【０００２】
ゴルフは、コース上に止まっている白いボールを杖状のクラブで打って定められたホール(球孔)に入れ、そこまで所要された打数の多少で優劣を決める競技である。
ゴルフコースは、野原、丘、森など６６〜１００万m2の広い地域を整えて形成しているが、プレーをするホールのスタート場所であるティーインググラウンドを始め、フェアウェイ、ラフ、バンカー、ウォータハザード、グリーン、ホールなどから構成されており、ゴルファーはプレー中の大部分の時間を地面に植えられた芝の上で過ごす。
プレーでよい結果を出せるためには様々な技術が必要とされるが、最も基本となるのは、距離と方向を正確に定め、止まっているボールをクラブで一定の軌道に沿ってスイングし打撃することである。つまり、ゴルフスイングは腕とクラブによる円運動であって、その軌道にあるボールがクラブヘッドによってショットされるが、このスイング動作がゴルフにおいて最も重要な技術と言える。
【０００３】
スイングはボールの飛ぶ線と平行をなすが、このために足をかまえることをスタンスといい、足を広げスタンスを取り、クラブを地面にソールした動作をアドレスという。
また、スイングは、遠心力を用いてゴルフクラブでボールを正確で遠く飛ばせるための一貫性ある動作であって、遠心力を極大化するためには回転運動をする上半身のひねり戻しを有効に行わなければならなく、したがって、適宜なタイミングと安定したスタンスが重要である。
【０００４】
ゴルフ靴は、芝の上でプレーするゴルフの特性に合わせて作られた特殊靴であり、一般の靴と違う点は、ラウンディング中、例えばティーインググラウンドおよびフェアウェイで滑ることを防止するために、底部の下面にスパイクが突設されるということである。今までのゴルフ靴は、底部の下面に形成されたスパイクの高さを同じくして作ったものが主流となってきた。
【０００５】
ところで、ティーインググラウンドにおけるゴルファーの準備姿勢、つまりアドレス状態では、足裏の内側に中心をおいて下半身の乱れを防止することでバックスイングまたはダウンスイング時に身体のバランスを保持し、安定したスイングバランスを取って、いい球質のボールを飛ばすのが好ましい。しかし、従来のゴルフ靴を履いてラウンディングする場合、前記のアドレス状態やバックスイングまたはダウンスイング時に足裏がゴルフ靴の外側にはみ出されるような現象が起こり下半身が揺れるため、スイングアークの軌道が不一定で、スイング姿勢が乱れる問題があった。特に、身体的に膝と膝の間が曲がった人にとってこういった現象はさらに深刻になる。
【発明の開示】
【発明が解決しようとする課題】
【０００６】
従って、本発明は、前述した従来の問題点を解決するために案出されたものであり、安定したスタンス姿勢が取れるようにゴルファーの足裏を安定的に接地せしめ得るゴルフ靴を提供することにその目的がある。
かつ、本発明は、アドレスおよびスイング時に体の中心を足裏の内側に自然に集中させて安定した姿勢を保持しながらスイングができるように役立つゴルフ靴を提供することに他の目的がある。
かつ、本発明は、アドレスおよびスイング時に体の下半身をグリーン地面に対して安定的に保持させて正確な軌道に沿ってクラブを移動させ、正確な方向にインパクトできるように役立つゴルフ靴を提供することにさらに他の目的がある。
【課題を解決するための手段】
【０００７】
前記目的を達成するために、本発明のゴルフ靴は、下面に多数のスパイクが突設された底部をもつゴルフ靴であって、スパイクの先端部(上面)が地面と水平を保持せしめつつ、前記底部の下面内側部に突設されたスパイクの地面と接する接触面の面積を前記底部の下面外側部に突設されたスパイクの地面と接する接触面の面積より小さく形成して、グリーンで前記内側部が前記外側部より相対的に深く食い込むように構成されたことを特徴とする。
【０００８】
すなわち、ゴルフ靴の底部上面が地面と実質的に水平になるように構成し、底部内側部に突設されたスパイク（ピン）が地面と接する接触面(点)を外側部に突設されたスパイク（ピン）が地面と接する接触面(点)よりさらに尖るようにして、グリーンにおいて内側部を外側部に比べて相対的にグリーンの中に深く食い込ませたのである。
これにより、アドレスおよびスイング時に体の体重を足裏の内側に移して自然に保持することで、安定したスイング動作に役立つようになる。
【０００９】
ここで、前記スパイクとしては固定式および取替え式の両方を使えるが、取替え式のものは内側部および外側部すべてに形成されるのが一般的なので、固定式のスパイクのみを内側部および外側部でその形態を異にすることが好ましい。例えば、内側部は点接触し、外側部は面接触するようにスパイクの形状を別々にする。
【００１０】
ここで、底部の内側部は底部の長さ方向の中心線を基準として足の内側部分のことを意味し、外側部は足の外側部分のことを意味するが、正確に中心線を基準として足裏の内側または外側に区分する必要はなく、大体内側部に形成されたスパイクが外側部に形成されたスパイクより尖っていてグリーンで内側部が外側部より相対的に深く食い込めれば十分である。かつ、内側部に形成されたスパイク（ピン）すべてが必ず外側部に形成されたスパイク（ピン）より鋭い必要はなく、全体的に判断して、本発明の効果が達成できるものなら、例えば内側部のスパイクの一部が外側部のものより鈍く形成されても本発明の範疇に入ることと解釈すべきである。
【００１１】
一方、底部の内側部と外側部の間、即ち中間部分には内側部のスパイク（ピン）の断面積と外側部のスパイク（ピン）の断面積の中間程度の断面積をもつスパイクを形成することもある。即ち、内側部と外側部の間に緩衝部をおくのである。
【００１２】
本発明の前記底部の下面外側部に突設されたスパイクは前記底部の長さ方向に長く形成され、大体長方形の形態をもち、断面が正四角形であり得る。
かつ、前記底部の下面内側部に突設されたスパイクは大体ピラミッド形、四角錐形、六角錐形または円錐形の形態をもっている。
【００１３】
なお、前記底部の下面は外側部から内側部に行くほど底部の厚さが減少するように形成され、前記底部の下面内側部に突設されたスパイクの高さを外側部に突設されたスパイクの高さより高く形成することも可能である。
【発明の効果】
【００１４】
本発明に係るゴルフ靴は、スタンス姿勢で両足が内側に自然に絞られて、体の中心が足裏の内側に集中され、したがって、スイング動作中に安定した姿勢を保持しつつスイングすることができて、いわばスイングが崩れる現象を最小化できる。
かつ、ボールへの打撃(インパクト)が正確になるだけでなく、スイング時に力をアップさせると同時に足がはみ出される現象も減少させる効果がある。
一方、舗装道路のように硬い地面を歩行する場合にも、スパイクの先端部が地面と平行になるので、一般的なゴルフ靴を履いて歩行することとほぼ同じで自然な歩行が可能になる。
【発明を実施するための最良の形態】
【００１５】
以下、本発明のより徹底した理解のために、添付図面を参照しつつ実施の形態を詳細に説明するが、当業者にとって本発明は実施の形態に何ら限定されず、種々なる態様で様々に実施できることは明白なことである。
場合によっては、本発明の要旨を曖昧にさせる公知の特徴部ないし要素に対しては具体的な説明を省くことにする。これは本発明を不必要に制限することを避けるためである。図面上で同一符号は同一要素を示す。
【００１６】
図１は従来の一般的なゴルフ靴の側面(右足靴)を示したもので、図２は本発明の一実施例によるゴルフ靴の底部の概略図であり、図３は本発明の他の実施例によるゴルフ靴の底部の概略図であり、図４は図３のＡ−Ａ´断面図であり、図５および図６は本発明の一実施例によるゴルフ靴の作用を説明するためのもので、それぞれ硬い地面とグリーンで本発明のゴルフ靴を履いた状態を示したものである。
【００１７】
図１および図２を参考に説明すると、本発明実施形態のゴルフ靴はゴルフ靴１００の底部１０の下面８０に突設されたスパイク７０、４０が外側部６０および内側部３０で異なる点を除けば、通常のゴルフ靴と大同小異である。
【００１８】
即ち、本発明実施形態のゴルフ靴１００は、図１に示した従来のゴルフ靴のように、足が収められる靴の甲被部２０と、この甲被部２０の下部に位置して地面と接地する底部１０とから構成される。かつ、甲被部２０の内部底には、いわば中敷(insole)(図示せず)というものが敷かれている。
なお、底部１０も中底および底から構成されるのが一般的であるが、本明細書では中底および底すべてを併せて底という用語を使用することにする。
【００１９】
底部１０の下面８０には地面とのグリップ(grip)力のために下面８０と一体型でスパイク１１（図１参照）、４０、７０を突設する。図１および図２に示したように、図面符号１１、４０、７０のスパイクの他にも５０のような例えば円形の形態のスパイクも普通設置しているが、５０のような形態のスパイクは底部１０と一体型でまたはボルトなどにより着脱可能に設けられる。
本出願の請求項で使用するスパイクという用語は、底部１０と一体型で形成されるスパイク４０、７０と、一体的にまたは着脱可能に底１０と結合されるスパイク５０すべてを含む意味として使用される。
【００２０】
ここで、底部１０の下面８０に突設されたスパイクにおいて、外側部６０に形成されたスパイク７０は内側部３０に形成されたスパイク４０よりも地面と接する接触断面が広く形成される。即ち、外側部６０に突設されたスパイク７０は、内側部３０に突設されたスパイク４０よりも、その先端は鈍く形成される。
【００２１】
ところが、底部下面８０に突設されたスパイク４０、５０、７０の先端面(上面)は地面と水平に形成される。より望ましくは、外側部６０のスパイク７０の高さを内側部３０のスパイク４０の高さより低く形成する(図４参照)。もちろん、この場合にもスパイク４０、５０、７０の先端面(上面)は地面と水平に形成される。
一方、内側部３０と外側部６０の間には断面と地面が接する面積が中間程度になる楕円状のスパイク５５を底部の長さ方向に一列形成する。
【００２２】
図２において、内側部３０におけるスパイク４０の形態はその一部が切り取られた四角錐状で横断面が菱形をしている。
一方、図３は内側部３０におけるスパイク４０の形態がピラミッド状である底部を概略的に示したものである。かつ、図４に示したように、底部の厚さ(Ｌ)は 内側部３０から外側部６０に行くほど厚くなる。前述したように、この場合に外側部６０のスパイク７０の高さは内側部３０のスパイク４０の高さより低く形成され、スパイク７０、４０の先端部(上面)は地面とは水平をなす。
【００２３】
底部１０のスパイク４０、７０を内側部３０および外側部６０で前記のような形態で形成すると、グリーンで安定したスタンスを取ることに役立つ。
具体的に、アドレス状態は、身体の中心を足裏の内側に集めて足をかまえることであって、下半身の乱れを防止してバックスイングまたはダウンスイング時に身体のバランスを取り安定したスイングバランスを保持し、望む方向および距離までボールを飛ばせるためのものであるが、本発明による前記ゴルフ靴は、スタンス姿勢で身体の中心を自然に足裏の内側に集中させる役割を果たす。
【００２４】
図５および図６は、図３の底部をもつゴルフ靴の着用状態を示したもので、図６に示したように、グリーン地面(Ｅ)で本発明のゴルフ靴１００を履いて立つと、底部の内側部３０のスパイク４０が外側部６０のスパイク７０より尖っていて、外側部６０より相対的に深くグリーン地面(Ｅ)に食い込んでしまい強力な把持力を発揮し、スタンス姿勢では両足が自然に内側に絞られて体の中心が自然に足裏の内側に集められるようになる。
従って、スイング動作中に安定した姿勢を保持しつつスイングをすることができて、いわばスイングが崩れる現象を最小化する。
【００２５】
一方、舗装道路のような硬い地面を歩行する場合には、スパイク４０、７０の先端部が地面(Ｅ)と平行になるため(図５参照)、一般的なゴルフ靴を履いて歩行するのとほぼ同じくらいに自然な歩行が行える。
図５および図６における図面符号９０は足裏が接する面(地面(Ｅ)と平行になる面)を示し、図面符号７５はスパイクの先端部の先(Ｓ)と平行な直線である。
【００２６】
かかる構造の底部１０を制作する材料としては、合成ゴム、ＡＢＳ、ポリカーボネートまたはナイロンなどの各種合成樹脂が使用可能である。
【００２７】
本発明において、本発明の請求範囲を逸脱しない限り多様な変形例があり得る。例えば、必要に応じて、底部１０の先部(前底部)のみで内側部および外側部のスパイク形態を異にすることも可能で、先部および／または後部の一部のみにスパイクを形成させることも可能である。
【図面の簡単な説明】
【００２８】
【図１】従来の一般的なゴルフ靴の側面図。
【図２】本発明の一実施例によるゴルフ靴の底部の概略図。
【図３】本発明の他の実施例によるゴルフ靴の底部の概略図。
【図４】図３のＡ−Ａ´断面図。
【図５】本発明の一実施例によるゴルフ靴の作用を説明するためのもので、硬い地面で本発明のゴルフ靴を履いた状態を示す図。
【図６】本発明の一実施例によるゴルフ靴の作用を説明するためのもので、グリーンで本発明のゴルフ靴を履いた状態を示す図。
【符号の説明】
【００２９】
１００…ゴルフ靴
１０…底部
２０…甲被部
３０…内側部
１１、４０、５０、７０…スパイク
６０…外側部
８０…下面
【図１】
2005081141.tif 000003
【図２】
2005081141.tif 000004
【図３】
2005081141.tif 000005
【図４】
2005081141.tif 000006
【図５】
2005081141.tif 000007
【図６】
2005081141.tif 000008